【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
主磁石、及び前記主磁石内部で検査区域の内又は外に移動する患者キャリアを備える磁気共鳴撮像（ＭＲＩ）モジュールと；
前記検査区域内の所定のターゲット位置へ軸に沿って放射線療法ビームを送達し且つ指向する放射線療法デバイスと；
前記患者キャリアに接続されたＲＦコイルであって、磁気共鳴信号を放出するため複数の基準マーカを備えるＲＦコイルと；
前記患者キャリアを位置決めするための位置決めシステムと；
１つ以上の基準マーカから放出される磁気共鳴信号を抑制するスポイラと；
機械実行可能命令を記憶するためのメモリと；
プロセッサとを備える、療法システムであって、
前記機械実行可能命令の実行が、
ａ．前記位置決めシステムを制御して、前記患者キャリアを移動させるステップと；
ｂ．前記ＭＲＩモジュールを制御して、前記複数の基準マーカのうちの少なくとも第１の組での磁気共鳴の励起に応答してＭＲＩデータを取得するステップと；
ｃ．前記ＭＲＩデータを使用して、第１の組の基準マーカの画像表現を再構成するステップと；
ｄ．再構成された画像内で、第１の組の基準マーカの位置を使用して前記ＲＦコイルの位置を計算するステップと；
ｅ．前記スポイラを制御して、前記所定のターゲット位置に対する計算された位置に基づいて、第１の組の基準マーカのうちの１つ以上の基準マーカから放出される磁気共鳴信号を抑制するステップと；
ｆ．前記計算された位置が前記所定のターゲット位置に合致するまで、第１の組の基準マーカとして、前記複数の基準マーカのうちの第２の組の基準マーカを使用して前記ステップａ）〜ｅ）を繰り返すステップであって、第２の組の基準マーカが少なくとも第１の組の基準マーカを含む、ステップと
を前記プロセッサに行わせる、療法システム。
【請求項２】
前記ステップｆ）の前記計算された位置を前記ターゲット位置と合致させるステップは、前記計算された位置と前記ターゲット位置との距離を所定の最小合致距離閾値と比較するステップと；
その距離が前記所定の最小合致距離閾値よりも小さいという判断に応答して、前記計算された位置での放射レベルを決定するステップと；
放射レベルが所定の最大許容放射レベルよりも高いという判断に応答して、前記最小合致距離閾値を再定義し、再定義された前記最小合致距離閾値を使用して前記ステップａ）〜ｅ）を繰り返すステップとを含む、請求項１に記載の療法システム。
【請求項３】
前記ＲＦコイルの位置が少なくとも１つの空間方向で計算され、前記計算された位置が１つの空間方向に沿って前記ターゲット位置に合致する場合、その１つの空間方向に沿った位置の計算のために使用される基準マーカから放出される磁気共鳴信号を抑制する、請求項１又は２に記載の療法システム。
【請求項４】
前記計算された位置が前記ターゲット位置に合致する場合、前記抑制するステップは、前記ＭＲＩデータ内のアーチファクト領域を決定するステップと、前記アーチファクト領域に対応する基準マーカから放出される磁気共鳴信号を抑制するステップとを含む、請求項１乃至３の何れか一項に記載の療法システム。
【請求項５】
主磁石、及び前記主磁石内部で検査区域の内又は外に移動する患者キャリアを備える磁気共鳴（ＭＲＩ）モジュールと；
前記患者キャリアに接続されたＲＦコイルであって、磁気共鳴信号を放出するため複数の基準マーカを備えるＲＦコイルと；
前記患者キャリアを位置決めするための位置決めシステムと；
１つ以上の基準マーカから放出される磁気共鳴信号を抑制するスポイラと；
機械実行可能命令を記憶するためのメモリと；
プロセッサとを備える、医療装置に関し、
機械実行可能命令の実行が、
ａ．前記位置決めシステムを制御して、前記患者キャリアを移動させるステップと；
ｂ．前記ＭＲＩモジュールを制御して、前記複数の基準マーカのうちの少なくとも第１の組での磁気共鳴の励起に応答してＭＲＩデータを取得するステップと；
ｃ．前記ＭＲＩデータを使用して、第１の組の基準マーカの画像表現を再構成するステップと；
ｄ．再構成された画像内で、第１の組の基準マーカの位置を使用して前記ＲＦコイルの位置を計算するステップと；
ｅ．前記スポイラを制御して、所定のターゲット位置に対する計算された位置に基づいて、第１の組の基準マーカのうちの１つ以上の基準マーカから放出される磁気共鳴信号を抑制するステップと；
ｆ．前記計算された位置が前記所定のターゲット位置に合致するまで、第１の組の基準マーカとして、前記複数の基準マーカのうちの第２の組の基準マーカを使用してステップａ）〜ｅ）を繰り返すステップであって、第２の組の基準マーカが少なくとも第１の組の基準マーカを含む、ステップと
を前記プロセッサに行わせる、医療装置。
【請求項６】
撮像区域内で軸に沿って前記所定のターゲット位置に放射線療法ビームを送達し且つ指向する放射線療法デバイスを更に備える、請求項５に記載の医療装置。
【請求項７】
前記ステップｆ）の前記計算された位置を前記ターゲット位置と合致させるステップは、前記計算された位置と前記ターゲット位置との距離を所定の最小合致距離閾値と比較するステップと；
その距離が前記所定の最小合致距離閾値よりも小さいという判断に応答して、前記計算された位置での放射レベルを決定するステップと；
放射レベルが所定の最大許容放射レベルよりも高いという判断に応答して、前記最小合致距離閾値を再定義し、再定義された前記最小合致距離閾値を使用して前記ステップａ）〜ｅ）を繰り返すステップとを含む、請求項５又は６に記載の医療装置。
【請求項８】
前記ステップａ）は、所定の停止時点で前記患者キャリアを停止させるように前記位置決めシステムを制御するステップを更に含み、前記ステップａ）〜ｅ）を繰り返すことで１以上の反復が行われ、所与の反復に関する所定の停止時点は、前の反復での計算された位置を使用して決定される、請求項１乃至７の何れか一項に記載の医療装置。
【請求項９】
前記ステップａ）〜ｅ）を繰り返すことで１以上の反復が行われ、前記ＭＲＩモジュールは、反復の回数と共に増加する空間的精度で前記ＭＲＩデータを取得するように制御される、請求項５乃至８の何れか一項に記載の医療装置。
【請求項１０】
前記基準マーカは双極子を含み、前記基準マーカから放出される磁気共鳴信号を抑制するステップは、ＲＦスポイリング及び勾配スポイリングの少なくとも一方を適用するステップを含む、請求項５乃至９の何れか一項に記載の医療装置。
【請求項１１】
前記ＲＦコイルの位置を少なくとも１つの空間方向で計算するステップを含み、計算された位置が１つの空間方向に沿って前記ターゲット位置に合致する場合、その１つの空間方向に沿った位置の計算のために使用される基準マーカからの磁気共鳴信号の放出を抑制する、請求項５乃至１０の何れか一項に記載の医療装置。
【請求項１２】
前記計算された位置が前記ターゲット位置に合致する場合、前記抑制するステップは、前記ＭＲＩデータ内のアーチファクト領域を決定するステップと、前記アーチファクト領域に対応する基準マーカから放出される磁気共鳴信号を抑制するステップとを含む、請求項５乃至１１の何れか一項に記載の医療装置。
【請求項１３】
前記基準マーカから放出される磁気共鳴信号の抑制は、対応するアーチファクト領域のアーチファクトレベルが所定のアーチファクトレベルよりも高い場合に行われる、請求項１２に記載の医療装置。
【請求項１４】
主磁石、及び前記主磁石内部で検査区域の内又は外に移動する患者キャリアを備える磁気共鳴撮像（ＭＲＩ）モジュールと；
前記患者キャリアに接続されたＲＦコイルであって、磁気共鳴信号を放出するため複数の基準マーカを備えるＲＦコイルと；
前記患者キャリアを位置決めするための位置決めシステムと；
スポイラとを備える、医療装置の動作を制御する方法であって、
ａ．前記位置決めシステムを制御して、前記患者キャリアを移動させるステップと；
ｂ．前記ＭＲＩモジュールを制御して、前記複数の基準マーカのうちの少なくとも第１の組での磁気共鳴の励起に応答してＭＲＩデータを取得するステップと；
ｃ．前記ＭＲＩデータを使用して、第１の組の基準マーカの画像表現を再構成するステップと；
ｄ．再構成された画像内で、第１の組の基準マーカの位置を使用して前記ＲＦコイルの位置を計算するステップと；
ｅ．前記スポイラを制御して、計算された位置に基づいて、第１の組の基準マーカのうちの１つ以上の基準マーカから放出される磁気共鳴信号を抑制するステップと；
ｆ．前記計算された位置が所定のターゲット位置に合致するまで、第１の組の基準マーカとして、前記複数の基準マーカのうちの第２の組の基準マーカを使用して前記ステップａ）〜ｅ）を繰り返すステップであって、第２の組の基準マーカが少なくとも第１の組の基準マーカを含む、ステップと
を含む、方法。
【請求項１５】
請求項１４に記載の方法のステップを行うためにコンピュータ実行可能命令を備える、コンピュータプログラム。